(57)【要約】【課題】着床した乗りかごが混雑している場合での新たなホール呼びにかかる効率を改善することで、乗りかご内およびホールにいる乗客の利便性を向上させる。【解決手段】エレベータ制御装置１は、乗りかご４のかご荷重検出装置からの検出信号を入力し、この検出結果で示される荷重をもとに新たに人が乗り込めない混雑状態であるか否かを判別する。エレベータ制御装置１は、乗りかごが人が乗り込めない混雑状態であると判別した場合には当該着床している階床のホール呼び釦３が乗りかご４の発車前に操作された場合の機能を、戸開制御でなく、乗りかご４の発車後の新たなホール呼びの登録に切り替える。このホール呼び釦３が乗りかご４の発車前に操作された場合には、エレベータ制御装置１は、当該乗りかご４の発車後の新たなホール呼び登録を行なう。【選択図】      図１
2008265923.tif 000002
【特許請求の範囲】
【請求項１】
乗りかごの混雑状況が予め定められた水準にあるか否かを判別する判別手段と、
前記乗りかごの着床後に前記乗りかごの混雑状況が前記水準にないと前記判別手段が判別した場合で戸開後から前記乗りかごが発車するまでに当該着床した階床のホール呼び釦が操作された場合には、戸開動作を制御し、前記乗りかごの着床後に前記乗りかごの混雑状況が前記水準にあると前記判別手段が判別した場合で戸開後から前記乗りかごが発車するまでに当該着床した階床のホール呼び釦が操作された場合には、戸開動作を行なわずに当該乗りかごの発車後に応答させる当該階床のホール呼びの登録制御を行なう制御手段と
を備えたことを特徴とするエレベータ。
【請求項２】
前記制御手段は、
前記乗りかごの着床後に前記乗りかごの混雑状況が前記水準にあると前記判別手段が判別した場合に、当該着床した階床のホール呼び釦を点滅させる
ことを特徴とする請求項１に記載のエレベータ。
【請求項３】
各階床のホールに設けられる通常時ホール呼び釦と、
前記ホール呼び釦とは別に各階床のホールに設けられる混雑時ホール呼び釦と
乗りかごの混雑状況が予め定められた水準にあるか否かを判別する判別手段と、
前記乗りかごの着床後に前記乗りかごの混雑状況が前記水準にないと前記判別手段が判別した場合で戸開後から前記乗りかごが発車するまでに当該着床した階床の前記通常時ホール呼び釦が操作された場合には、戸開動作を制御し、前記乗りかごの着床後に前記乗りかごの混雑状況が前記水準にあると前記判別手段が判別した場合で戸開後から前記乗りかごが発車するまでに当該着床した階床の前記混雑時ホール呼び釦が操作された場合には、戸開動作を行なわずに当該乗りかごの発車後に応答させる当該階床のホール呼びの登録制御を行なう制御手段と
を備えたことを特徴とするエレベータ。
【請求項４】
前記制御手段は、
前記乗りかごの着床後に前記乗りかごの混雑状況が前記水準にあると前記判別手段が判別した場合に、当該着床した階床の混雑時ホール呼び釦を点滅させる
ことを特徴とする請求項３に記載のエレベータ。
【請求項５】
前記乗りかごの荷重を検出する検出手段をさらに備え、
前記判別手段は、前記検出手段による検出結果をもとに前記混雑状況が前記定められた水準にあるか否かを判別する
ことを特徴とする請求項１または３に記載のエレベータ。
【請求項６】
前記乗りかご内を撮影する撮影手段をさらに備え、
前記判別手段は、前記撮影手段による撮影結果をもとに前記混雑状況が前記定められた水準にあるか否かを判別する
ことを特徴とする請求項１または３に記載のエレベータ。
【請求項７】
前記制御手段は、
前記乗りかごの着床後に前記乗りかごの混雑状況が前記水準にあると前記判別手段が判別した場合で、戸開後から前記乗りかごが発車するまでに当該着床した階床のホール呼び釦が操作されなかった場合で、前記乗りかごの発車後に当該ホール呼び釦が操作された場合には、当該階床のホール呼びの登録制御を行なう
ことを特徴とする請求項１に記載のエレベータ。
【請求項８】
前記制御手段は、
前記乗りかごの着床後に前記乗りかごの混雑状況が前記水準にあると前記判別手段が判別した場合、前記乗りかごが発車するまで当該着床した階床の前記混雑時ホール呼び釦の操作を有効とする
ことを特徴とする請求項３に記載のエレベータ。
【発明の詳細な説明】
【技術分野】
【０００１】
本発明は、乗りかごの運転効率の改善機能を有するエレベータに関する。
【背景技術】
【０００２】
従来、エレベータの乗客は、ホールにて乗りかごを呼ぶ場合、ホール呼び釦を押す。その後、ホール呼び釦は、乗りかごがホール呼び釦の押された階床に到着するまで点灯し続け、呼びのあった階に乗りかごが到着した時に消灯する。
【０００３】
エレベータの運転効率を向上させる手法として、例えば特許文献１に開示されたように、特定階床でのエレベータ需要の増大を検出した場合に当該階床のホール呼び釦を常時点灯に切り替えることで、乗りかごの応答時間を短縮している。
【特許文献１】特開平６−４０６７１号公報
【発明の開示】
【発明が解決しようとする課題】
【０００４】
エレベータ運転効率の良し悪しを決める要素としては、前述した乗りかごの応答時間だけではなく、昇降中の乗りかごの各階床での停止時間も挙げられる。
【０００５】
例えば、ある階床に到着した乗りかごの混雑等によりホールにいた利用者全員が乗りかごに乗り込むことが出来なかった場合、この乗り込むことの出来なかった利用者は、発車後に新たにホール呼びを行なおうと、消灯しているホール呼び釦を押してしまうことがある。
【０００６】
従来のエレベータでは、乗りかごが階床に着床した場合で、応答前の他の階床のホール呼びやかご呼びが残っている場合には、着床階での一定時間の戸開後、完全に戸閉した際に他の目的階へ向かって発車するが、この戸閉中、もしくは戸閉直後で乗りかごの発車前のタイミングで着床していた階床のホール呼び釦を押下すると、出発しようとしていた乗りかごのドアが再度開いてしまう。つまり、到着した乗りかごに利用者が乗り込み、扉が完全に閉まり出発するまで、新たなホール呼びを登録することができない。
【０００７】
しかし、前述したように乗りかごの中が既に混雑して満員となっている場合には、ホールに残っている乗客は新たに乗り込むことができないので、前述したようにドアが再度開いてしまったために乗りかごの到着から他の階床までの出発までの時間が長くなると、乗りかご内の乗客にとって不快であるばかりでなく、新たなホール呼びを行なえるまでの時間を要してしまうことになるのでホールに残った乗客にとっても不快である。
【０００８】
そこで、本発明の目的は、着床した乗りかごが混雑している場合での新たなホール呼びにかかる効率を改善することで、乗りかご内およびホールにいる乗客の利便性を向上させることが可能になるエレベータを提供することにある。
【課題を解決するための手段】
【０００９】
すなわち、本発明に係わるエレベータは、乗りかごの着床後に前記乗りかごの混雑状況が定められた水準にないと判別した場合で、戸開後から前記乗りかごが発車するまでに当該着床した階床のホール呼び釦が操作された場合には戸開動作を制御し、乗りかごの着床後に乗りかごの混雑状況が前述した水準にあると判別した場合で、戸開後から乗りかごが発車するまでに当該着床した階床のホール呼び釦が操作された場合には戸開動作を行なわずに当該乗りかごの発車後に応答させる当該階床のホール呼びの登録制御を行なうことを特徴とする。
【発明の効果】
【００１０】
本発明によれば、着床した乗りかごが混雑している場合での新たなホール呼びにかかる効率を改善することで、乗りかご内およびホールにいる乗客の利便性を向上させることができる。
【発明を実施するための最良の形態】
【００１１】
以下図面により本発明の実施形態について説明する。  
（第１の実施形態）
まず、本発明の第１の実施形態について説明する。  
図１は、本発明の第１の実施形態にしたがったエレベータのホールの各種装置の概略図である。図２は、本発明の第１の実施形態にしたがったエレベータの乗りかごの概略図である。  
図１に示すように、各階床のホール（乗場）のホールドア２の近傍には、図２に示した乗りかご４の通常時のホール呼びを行なうために操作するホール呼び釦３が設けられる。
【００１２】
エレベータ制御装置１は、操作されたホール呼び釦３が設けられる階床のホール呼び登録を行い、この呼びに乗りかご４を応答させて、当該乗りかご４が着床すると、かご制御装置６にかごドアやホールドア２を開扉するための制御信号を出力する。
【００１３】
また、エレベータ制御装置１は、この開扉後、予め定められた時間が経過するか、乗りかご４内の戸閉釦が操作された場合には、かごドアやホールドア２を閉扉するための制御信号をかご制御装置６に出力する。この場合で、エレベータ制御装置１は、登録済みの呼びが残っている場合には、この呼びに応答すべく乗りかご４を発車させる。
【００１４】
また、本実施形態では、乗りかご４の床面に当該乗りかご４の荷重を検知するかご荷重検出装置５を備える。このかご荷重検出装置５は乗りかご４内の荷重の検知信号をエレベータ制御装置１に出力する。
【００１５】
各階床のホール呼び釦３は、操作されるか自階床のかご呼びが登録された場合に点灯する。この点灯したホール呼び釦３は乗りかご４が当該ホール呼び釦３の設置階床に到着して開扉した時点で消灯する。
【００１６】
本実施形態にしたがったエレベータでは、この消灯後に乗りかご４内の荷重を確認し、この荷重が予め定められた基準値を超え、満員で乗客がさらに乗り込めない状態である場合に、当該到着したホール呼び釦３を操作した場合の機能を、従来の戸開動作ではなく、乗りかご４の発車後の新たなホール呼び登録制御に変更する。
【００１７】
また、ホール呼び釦３の操作による機能が変更された事をホールの乗客に知らせるために、乗りかご４の荷重が前述した基準値を超えた際に乗りかご４が位置する階床のホール呼び釦３を点滅させる。
【００１８】
図３は、本発明の第１の実施形態にしたがったエレベータのエレベータ制御装置の構成を示すブロック図である。  
図３に示すように、エレベータ制御装置１は、入力部１１、荷重判別部１２、機能制御部１３および出力部１４を備える。
【００１９】
入力部１１は、ホール呼び釦３やかご荷重検出装置５からの信号を入力する。荷重判別部１２は、かご荷重検出装置５による検出結果をもとに、乗りかご４内の荷重が予め定められた基準値を超えているか否かを判別する。
【００２０】
機能制御部１３は、乗りかご４が着床している階床のホール呼び釦３が乗りかご４の発車前に操作された場合の機能を戸開制御、および当該乗りかご４の発車後の新たなホール呼び登録の機能との間で切り替える。
【００２１】
出力部１４は、かごドアやホールドア２を開扉するための制御信号をかご制御装置６に出力する。
【００２２】
次に、このような構成のエレベータの処理動作について説明する。図４は、本発明の第１の実施形態にしたがったエレベータの処理動作の一例を示すフローチャートである。
【００２３】
まず、エレベータ制御装置１は、登録済みのかご呼びやホール呼びがある場合、これらの呼びに乗りかご４を応答させる（ステップＳ１）。この場合、応答対象のホールのホール呼び釦３は点灯している。
【００２４】
乗りかご４が目的階に着床すると（ステップＳ２）、エレベータ制御装置１は、当該階床の呼びを取り消して、かご制御装置６に戸開制御の信号を出力するとともに、当該着床した階床のホールのホール呼び釦３を消灯させる（ステップＳ３）。ここでは、他の階床に関する登録済みの呼びが残っているものとする。
【００２５】
そして、エレベータ制御装置１の入力部１１は、乗りかご４のかご荷重検出装置５からの検出信号を入力する（ステップＳ４）。荷重判別部１２は、この検出結果で示される荷重と予め定められた基準値とを比較することで、乗りかご４内の荷重が前述した定められた基準値を超えているか否かを判別する（ステップＳ５）。この基準値とは、乗りかご４が混雑していて新たに人が乗り込めない混雑状態であるとみなす値である。
【００２６】
エレベータ制御装置１の荷重判別部１２がステップＳ５の処理で「ＮＯ」と判別した場合には、機能制御部１３は、乗りかご４内が新たに人が乗り込めない混雑状態ではないとみなし、前述した戸開後の時間経過か戸閉釦操作により戸閉して乗りかご４が発車するまでに当該着床している階床のホール呼び釦３が操作された場合には（ステップＳ６のＹＥＳ）、従来のエレベータの機能と同様に、戸開制御のための制御信号を出力部１４を介してかご制御装置４に出力する。これにより、かごドアおよびホールドア２が開扉することになる（ステップＳ７）。
【００２７】
また、エレベータ制御装置１の機能制御部１３がステップＳ５の処理で「ＹＥＳ」と判別した場合には、機能制御部１３は、乗りかご４内が新たに人が乗り込めない混雑状態にあるとみなし、当該着床している階床のホール呼び釦３が乗りかご４の発車前に操作された場合の機能を、戸開制御でなく、乗りかご４の発車後の新たなホール呼びの登録に切り替えるとともに（ステップＳ８）、当該着床している階床において消灯していたホール呼び釦３を点滅させる。これによりホールの乗客はホール呼び釦３の機能が変化したことを認識できる(ステップＳ９)。
【００２８】
この点滅中のホール呼び釦３が操作された場合には（ステップＳ１０のＹＥＳ）、エレベータ制御装置１は、当該乗りかご４の発車後の新たなホール呼び登録を行なう（ステップＳ１１）。
【００２９】
この場合、エレベータ制御装置１は、乗りかご４内の戸開釦が操作されない限り戸開制御は行なわず、戸閉後、他の階床の呼びに応答すべく乗りかご４を発車させた後に、ステップＳ１１の処理で登録されたホール呼びに応答すべく乗りかご４を昇降させる。また、機能制御部１３は、この着床していた階床のホール呼び釦３が乗りかご４発車前に操作された場合の機能を戸開制御に戻す。
【００３０】
一方、この点滅中のホール呼び釦３が操作されない状態で（ステップＳ１０のＮＯ）、前述した戸開後に予め定められた時間が経過するか乗りかご４内の戸閉釦が操作された場合には、エレベータ制御装置１は、戸閉制御の為の信号を出力部１４を介してかご制御装置６に出力し、他の階床の呼びに応答すべく乗りかご４を発車させる。
【００３１】
このように乗りかご４が発車した場合には（ステップＳ１２のＹＥＳ）、機能制御部１３は、この着床していた階床のホール呼び釦３が操作された場合の機能を通常の機能に戻す（ステップＳ１３）。
【００３２】
この場合、エレベータ制御装置１は、この着床していた階床への乗りかご４の再度の着床前にホール呼び釦３が操作された場合は当該階床の乗場呼び登録を行い、前述した着床していた階床へ乗りかご４が再度着床した場合、エレベータ制御装置１の荷重判別部１２は、乗りかご４内の荷重が前述した定められた基準値を超えているか否かを再度判別することになる。
【００３３】
以上のように、本発明の第１の実施形態にしたがったエレベータでは、着床した乗りかご４内が混雑していて新たに人が乗り込めない状態で、戸閉前に着床階床のホール呼び釦３が操作された場合に、戸開制御を行なう代わりに、乗りかご４の発車後の新たなホール呼びを登録する。これにより、到着した乗りかご４に乗ることが出来なかった利用者にとって、乗りかご４の発車後の新たなホール呼びを早く行なうことができ、また到着した乗りかご４に乗車し出発しようとしている利用者も再度ドアが開くことがないため、スムーズに目的階に移動できる。
【００３４】
（第２の実施形態）
次に、本発明の第２の実施形態について説明する。なお、本実施形態に係るエレベータの構成のうち第１の実施形態と同様の同一部分の説明は省略する。  
図５は、本発明の第２の実施形態にしたがったエレベータの乗りかごの概略図である。
【００３５】
この実施形態では、第１の実施形態と比較して、乗りかご４の混雑状態の判別の為に、かご荷重検出装置５を用いる代わりに、乗りかご４内に撮影手段であるかご内カメラ２１を設置した上で、このかご内カメラ２１による撮影画像をもとに、乗りかご４の混雑状態が予め定められた水準にあるか否かを判別する。
【００３６】
図６は、本発明の第２の実施形態にしたがったエレベータのエレベータ制御装置の構成を示すブロック図である。  
この実施形態では、図６に示すように、エレベータ制御装置１は、荷重判別部１２の代わりに画像判別部２２を備える。画像判別部２２は、かご内カメラ２１による撮影結果をもとに、乗りかご４内の混雑状態が予め定められた水準にあるか否かを判別する。また、入力部１１は、ホール呼び釦３からの信号やかご内カメラ２１からの撮影画像を入力する。
【００３７】
次に、このような構成のエレベータの処理動作について説明する。図７は、本発明の第２の実施形態にしたがったエレベータの処理動作の一例を示すフローチャートである。  
まず、第１実施形態におけるステップＳ１からＳ３の処理後（ステップＳ２１，Ｓ２２，Ｓ２３）、エレベータ制御装置１の入力部１１は、乗りかご４のかご内カメラ２１からの撮影画像を入力する（ステップＳ２４）。画像判別部２２は、この撮影画像を解析して、かご内の乗客の占める割合を検出することで、乗りかご４内の混雑状態が前述した定められた水準にあるか否かを判別する（ステップＳ２５）。この水準とは、乗りかご４が混雑していて新たに人が乗り込めない混雑状態であることを意味する。
【００３８】
エレベータ制御装置１の荷重判別部１２がステップＳ２５の処理で「ＮＯ」と判別した場合には、機能制御部１３は、乗りかご４内が、新たに人が乗り込めない混雑状態ではないとみなし、第１の実施形態で説明したステップＳ６以降の処理に移行する（ステップＳ２６，Ｓ２７）。
【００３９】
また、エレベータ制御装置１の機能制御部１３は、ステップＳ２５の処理で「ＹＥＳ」と判別した場合には、乗りかご４内が、新たに人が乗り込めない混雑状態にあるとみなし、第１の実施形態で説明したステップＳ８以降の処理に移行する（ステップＳ２８〜Ｓ３３）。
【００４０】
以上のように、本発明の第２の実施形態にしたがったエレベータでは、乗りかご４の撮影結果にしたがって、着床した乗りかご４内が混雑していて新たに人が乗り込めない状態であると判別した場合、戸閉前に着床階床のホール呼び釦３が操作された場合に、戸開制御を行なう代わりに、乗りかご４の発車後の新たなホール呼びを登録する。これにより、到着した乗りかご４に乗ることが出来なかった利用者にとって、乗りかご４の発車後の新たなホール呼びを早く行なうことができ、また到着した乗りかご４に乗車し出発しようとしている利用者も再度ドアが開くことがないため、スムーズに目的階に移動できる。
【００４１】
（第３の実施形態）
次に、本発明の第３の実施形態について説明する。なお、本実施形態に係るエレベータの構成のうち第１の実施形態と同様の同一部分の説明は省略する。  
図８は、本発明の第３の実施形態にしたがったエレベータのホールの各種装置の概略図である。
【００４２】
前述した第１，第２の実施形態では、各階床の単一のホール呼び釦３が乗りかご４の発車前に押された場合の機能を戸開制御から、乗りかご４発車後の新たなホール呼び登録に変更したが、第３の実施形態では、図８に示すように、各階床に、通常時用の第１ホール呼び釦３に加えて、混雑時用の第２ホール呼び釦２３をさらに設け、着床した乗りかご４の混雑状態が、新たに人が乗り込めない状態にある場合に、この第２ホール呼び釦２３が押された際に、戸開制御を行なう代わりに、乗りかご４の発車後の新たなホール呼び登録を行なう。
【００４３】
この第３の実施形態にしたがったエレベータの乗りかご４は、図２に示したようにかご荷重検出装置５を備える。また、この第３の実施形態にしたがったエレベータのエレベータ制御装置１の構成は図３に示した構成と同様である。ただし、機能制御部１３は、第１の実施形態のようにホール呼び釦３の機能を切り替えるのではなく、当該ホール呼び釦３の機能を変更せずに、混雑時用の第２ホール呼び釦２３の操作を有効にする。
【００４４】
次に、このような構成のエレベータの処理動作について説明する。図９は、本発明の第３の実施形態にしたがったエレベータの処理動作の一例を示すフローチャートである。  
まず、初期状態が混雑していない通常時であるとする。通常時は、エレベータ制御装置１は、各階床の通常時用の第１ホール呼び釦３の操作を有効とする一方で、混雑時用の第２ホール呼び釦２３の操作を無効としている。
【００４５】
そして、第１実施形態におけるステップＳ１からＳ３の処理後（ステップＳ４１，Ｓ４２，Ｓ４３）、エレベータ制御装置１の入力部１１は、乗りかご４のかご荷重検出装置５からの検出信号を入力する。荷重判別部１２は、この検出結果で示される荷重と予め定められた基準値とを比較することで、乗りかご４内の荷重が前述した定められた基準値を超えているか否かを判別する（ステップＳ４４）。
【００４６】
エレベータ制御装置１の荷重判別部１２がステップＳ４４の処理で「ＮＯ」と判別した場合には、機能制御部１３は、乗りかご４内が、新たに人が乗り込めない混雑状態ではないとみなし、前述した戸開後の時間経過か戸閉釦操作により戸閉して乗りかご４が発車するまでに当該着床している階床の第１ホール呼び釦３が操作された場合には（ステップＳ４５のＹＥＳ）、従来のエレベータの機能と同様に、戸開制御のための制御信号を出力部１４を介してかご制御装置４に出力する。これにより、かごドアおよびホールドア２が開扉することになる（ステップＳ４６）。
【００４７】
また、エレベータ制御装置１の機能制御部１３がステップＳ４４の処理で「ＹＥＳ」と判別した場合には、機能制御部１３は、乗りかご４内が、新たに人が乗り込めない混雑状態にあるとみなし、当該着床している階床の第２ホール呼び釦２３の操作を有効とし、この第２ホール呼び釦２３を点滅させる（ステップＳ４７）。これによりホールの乗客は第２ホール呼び釦２３の操作が有効となったことを認識できる。
【００４８】
この点滅中の第２ホール呼び釦２３が操作された場合には（ステップＳ４８のＹＥＳ）、エレベータ制御装置１は、当該乗りかご４の発車後の新たなホール呼び登録を行なう（ステップＳ４９）。
【００４９】
この場合、エレベータ制御装置１は、同じ階床の第１ホール呼び釦３や乗りかご４内の戸開釦が操作されない限り戸開制御は行なわず、戸閉後、他の階床の呼びに応答すべく乗りかご４を発車させた後に、ステップＳ４９の処理で登録されたホール呼びに応答すべく乗りかご４を昇降させる。また、機能制御部１３は、この着床していた階床の第２ホール呼び釦２３の操作を無効にする。
【００５０】
一方、この点滅中の第２ホール呼び釦２３が操作されない状態で（ステップＳ５０のＮＯ）、前述した戸開後に予め定められた時間が経過するか乗りかご４内の戸閉釦が操作された場合には、エレベータ制御装置１は、戸閉制御の為の信号を出力部１４を介してかご制御装置６に出力し、他の階床の呼びに応答すべく乗りかご４を発車させる。
【００５１】
このように乗りかご４が発車した場合には（ステップＳ５０のＹＥＳ）、機能制御部１３は、この着床していた階床において点滅していた第２ホール呼び釦２３を消灯させ、この第２ホール呼び釦２３の操作を再度無効にする（ステップＳ５１）。
【００５２】
第２ホール呼び釦２３の操作が無効となった後、エレベータ制御装置１の荷重判別部１２は、乗りかご４が当該ホール呼び釦３の設置階床に再度着床して戸開した際に、かご荷重検出装置５からの信号をもとに、乗りかご４内の荷重が前述した定められた基準値を超えているか否かを再度判別する。
【００５３】
以上のように、本発明の第３の実施形態にしたがったエレベータでは、着床した乗りかご４内が混雑していて新たに人が乗り込めない状態で、第２ホール呼び釦２３の操作を有効として、この釦が戸閉前に操作された場合に、戸開制御を行なう代わりに、乗りかご４の発車後の新たなホール呼びを登録する。これにより、到着した乗りかご４に乗ることが出来なかった利用者にとって、乗りかご４の発車後の新たなホール呼びを早く行なうことができ、また到着した乗りかご４に乗車し出発しようとしている利用者も再度ドアが開くことがないため、スムーズに目的階に移動できる。
【００５４】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００５５】
【図１】本発明の第１の実施形態にしたがったエレベータのホールの各種装置の概略図。
【図２】本発明の第１の実施形態にしたがったエレベータの乗りかごの概略図。
【図３】本発明の第１の実施形態にしたがったエレベータのエレベータ制御装置の構成を示すブロック図。
【図４】本発明の第１の実施形態にしたがったエレベータの処理動作の一例を示すフローチャート。
【図５】本発明の第２の実施形態にしたがったエレベータの乗りかごの概略図。
【図６】本発明の第２の実施形態にしたがったエレベータのエレベータ制御装置の構成を示すブロック図。
【図７】本発明の第２の実施形態にしたがったエレベータの処理動作の一例を示すフローチャート。
【図８】本発明の第３の実施形態にしたがったエレベータのホールの各種装置の概略図。
【図９】本発明の第３の実施形態にしたがったエレベータの処理動作の一例を示すフローチャート。
【符号の説明】
【００５６】
１…エレベータ制御装置、２…ホールドア、３…第１ホール呼び釦、４…乗りかご、５…かご荷重検出装置、６…かご制御装置、１１…入力部、１２…荷重判別部、１３…機能制御部、１４…出力部、２１…かご内カメラ、２２…画像判別部、２３…第２ホール呼び釦。
【図１】
2008265923.tif 000003
【図２】
2008265923.tif 000004
【図３】
2008265923.tif 000005
【図４】
2008265923.tif 000006
【図５】
2008265923.tif 000007
【図６】
2008265923.tif 000008
【図７】
2008265923.tif 000009
【図８】
2008265923.tif 000010
【図９】
2008265923.tif 000011